(57)【特許請求の範囲】
【請求項１】
基体に昇降自在に設けられる球誘導可動体と、
前記球誘導可動体を伝達手段を介して昇降させる駆動手段と、
前記伝達手段に前記駆動手段の非駆動時において前記球誘導可動体の動作をロックすると共に該駆動手段の駆動時にロックを解除しうるロック手段とを備え、
前記伝達手段は前記球誘導可動体に設けられるラックと該ラックに噛合する歯車部付き回転体と前記駆動手段に設けられ前記回転体と関連させる作動アームとで構成され、
前記ロック手段は前記作動アームに前記駆動手段の非駆動時に前記回転体の動作をロックする阻止部を備え、
前記駆動手段の非駆動時に前記阻止部により前記回転体の動作をロックして該球誘導可動体の動作を阻止し、前記駆動手段の駆動時には前記阻止部による前記回転体のロックを解除して該回転体の回転運動に伴い前記歯車部とラックが噛合することにより前記球誘導可動体が昇降するようにしたことを特徴とする可変入賞装置。
【請求項２】
基体の上部に設けられる球通過ゲートと、
前記球通過ゲートの下方に所定間隔を置いて設けられる球受入口と、
前記球通過ゲートと球受入口の間に位置するガイド部と、
前記球通過ゲートと球受入口との間に昇降可能に設けられる球誘導可動体と、
前記球誘導可動体を伝達手段を介して昇降させる駆動手段と、
前記伝達手段に前記駆動手段の非駆動時において前記球誘導可動体の動作をロックし、前記駆動手段の駆動時にロックを解除しうるロック手段とを備え、
前記球誘導可動体に前記球通過ゲートからの球が上方から転入し得る閉状態と球が上方及び横方向から転入し得る開状態とに変位可能とする開閉翼片を設けると共に該開閉翼片に前記ガイド部と連繋し該開閉翼片を回動させる回動手段を設け、
前記駆動手段の非駆動時でありかつ前記球誘導可動体の上方位置で前記ロック手段により前記伝達手段の動作をロックして該球誘導可動体の動作を阻止し、前記駆動手段の駆動時には前記ロック手段によるロックを解除して前記球誘導可動体を前記球通過ゲートと球受入口間で昇降を可能とし、前記開閉翼片の回動手段と前記ガイド部との連繋により該開閉翼片を前記球誘導可動体の上方位置で閉状態とすると共に下方位置で開状態とするようにしたことを特徴とする可変入賞装置。
【請求項３】
ラックを備えた基体と、
前記ラックに沿って昇降自在に設けられる球誘導可動体と、
前記球誘導可動体に球が通過する間隔を存して開閉自在に軸支され、かつ支軸部に歯車部を設けた開閉翼片と、
前記球誘導可動体を伝達手段を介して昇降させる駆動手段と、
前記伝達手段に前記駆動手段の非駆動時において前記球誘導可動体の動作をロックし、前記駆動手段の駆動時にロックを解除しうるロック手段とを備え、
前記駆動手段の非駆動時でありかつ前記開閉翼片の閉状態時に前記ロック手段により前記伝達手段の動作をロックして該球誘導可動体の動作を阻止し、前記駆動手段の駆動時には前記ロック手段によるロックを解除して球誘導可動体を昇降可能とし、前記開閉翼片の歯車部と前記ラックとの連繋により該開閉翼片を開閉しうるようにしたことを特徴とする可変入賞装置。
【請求項４】
基体に設けられる球受入口と、
前記球受入口の上方に位置して設けられるガイド部と、
前記基体の前面側に球が通過する間隔を存して開閉自在に軸支される開閉翼片を備えた球誘導可動体と、
前記球誘導可動体を伝達手段を介して昇降させる駆動手段と、
前記伝達手段に前記駆動手段の非駆動時において前記球誘導可動体の動作をロックし、前記駆動手段の駆動時にロックを解除しうるロック手段とを備え、
前記ガイド部にラックを備えると共に前記開閉翼片の支軸部に前記ガイド部のラックに噛合する歯車部を設け、
前記伝達手段は駆動手段から駆動力を受け進退する作動アームと、前記作動アームに関連して該作動アームの進退で正逆回転する回転体とを備え、
前記ロック手段は前記作動アームに設けられる阻止面と、前記回転体に設けられ前記作動アームの阻止面に当接し該回転体の回転を阻止するロックピンとで構成され、
前記駆動手段の非駆動時に前記作動アームの阻止面で前記ロックピンの回動を阻止して球誘導可動体の昇降動作をロックし、前記駆動手段の駆動時に前記作動アームの進出運動で作動アームの阻止面を回転体のロックピンから離脱させるとともに回転体を回転運動させ、該回転運動を昇降運動に変換して前記球誘導可動体を昇降させるとともに前記開閉翼片の歯車部とガイド部のラックとの噛合により前記開閉翼片を開閉可能としたことを特徴とする可変入賞装置。
【発明の詳細な説明】
【技術分野】
【０００１】
この発明は、パチンコ遊技機の可変入賞装置に関し、球受入口の上方で上限位置の第１状態と下限位置の第２状態に変位しうる球誘導可動体を備えた可変入賞装置に関する。
【背景技術】
【０００２】
従来、この種の入賞装置として、翼片を起立して打球を入りにくくしたり、翼片を倒して開き打球を入りやすくする開閉翼片を球受入口に開閉自由に軸支し、ソレノイドでこの開閉翼片を開閉自由に備えたものがあり（例えば、特許文献１参照）、ＣＲ機などの遊技機の始動口などに使用され、始動口に入ることにより図柄表示装置の図柄が変動を開始するようにされている。また、基体の上部に球受けを設け、その直下に開閉羽根を備えた下部球受けを備えた入賞装置がある（例えば、特許文献２参照）。
【０００３】
【特許文献１】特許２７７９９２０号公報
【特許文献２】実用新案登録３０４７５５８号公報
【発明の開示】
【発明が解決しようとする課題】
【０００４】
上記した入賞装置で前者のものは、球受入口の開閉翼片が同じ位置で開閉するだけで、変化に乏しく、始動口として使用する場合には、その開閉翼片の開放時の時間を図柄表示装置の特定図柄に応じて変化させるようにしているだけで興趣に乏しく、また、後者のものは上部の球受けには打球が入り、またソレノイドの作動で下部の球受けの開閉羽根が開放されて横方向から打球が入りうるようにするもので、上部球受けと下部球受けは別個に球が排出されるので構成が複雑で、羽根が同じ位置で開閉するだけであるから変化に乏しく課題となっている。
【０００５】
この発明は従来のこのような問題点を解消するもので、球受入口（例えばＣＲ機の始動口）の上部に上下に動作して変位しうる球誘導可動体を備え、かつその上部の位置で打球が当って上下動するのを防ぐためにロック手段を関連させることで、従来の入賞装置との区別化を図り、球受入口の上部で球の誘導に変化を持たせ、商品価値を向上させた可変入賞装置を提供することを目的とする。
【０００６】
すなわち、ＣＲ機の遊技盤の始動口等に使用される球受入口の上方で球誘導可動体を上限位置の第１状態と下限位置の第２状態に変位させて球受入口の上部における打球の入り方に変化に富ませ、上限位置で球誘導可動体を球が当って上下動しないようにロックし、かつ駆動時にロックを解除しうるように球誘導可動体の駆動手段にロック手段を関連させ、上部位置に球誘導可動体があるとき無闇に動くのを防止でき、駆動時のみ球誘導可動体を昇降動作できるようにして、遊技者の興趣を向上させた可変入賞装置を提供することを目的とする。
【０００７】
また、球誘導可動体に開閉する開閉翼片を備え、ソレノイド等駆動手段で球誘導可動体を基体のガイド部に沿って開閉翼片とともに上限位置の第１状態と下限位置の第２状態に昇降するとともに開閉翼片を昇降しながら所定範囲で開閉可能として変化に富ませ、常時は上限位置で球誘導可動体を球が当って上下動しないようにロックし、かつ駆動時にロックを解除しうるように球誘導可動体を昇降する駆動手段にロック手段を関連させ、遊技者の興趣を向上させた可変入賞装置を提供することを目的とする。
【０００８】
基体に上部の球通過ゲートと下部の球受入口を離隔して設け、その球通過ゲートと球受入口との間に球誘導可動体を昇降可能に備え、球誘導可動体のガイド手段として、球誘導可動体を基体のガイド部に所定ストローク昇降可能に備え、開閉翼片の回動手段として、翼片とガイド孔をラックアンドピニオン構造で係合して開閉翼片を昇降に伴い開閉できるようにし、少なくともガイド手段の上限位置にガイド手段を受止めるストッパー手段を設け、前記球誘導可動体を昇降させる駆動手段として、球誘導可動体のガイド枠体に進退運動を昇降運動に変換する伝達手段を介してソレノイドを関連させ、かつ球誘導可動体のガイド手段を昇降する伝達手段をロックし、駆動手段による駆動時にロックを解除しうるロック手段を関連させ、常時は球誘導可動体を上限のストッパー手段で受止めるとともに伝達手段をロックし、駆動手段の駆動時ロックを外して球誘導可動体を昇降するとともに開閉翼片を開閉しうるようにした可変入賞装置を提供することを目的とする。
【０００９】
その伝達手段として、基体の上限と下限のストッパー間で昇降可能とした球誘導可動体のガイド枠体を回転体とラックアンドピニオンの構造で伝達するとともに回転体をソレノイドの作動アームで作用してソレノイドの進退運動をガイド枠体の昇降運動に変換できるようにし、回転体の作動ピンに対し作動アームの連結部を所定ストローク単独で進退させて阻止又は離脱し、ロック解除により連結部の進退で回転体の回転運動によりガイド枠体を昇降運動に変換しうるようにした可変入賞装置を提供することを目的とする。また、回転体には復帰用の重りを備えて球誘導可動体が確実に第１状態に復帰しうるようにすることを目的とする。
【課題を解決するための手段】
【００１０】
この発明の請求項１の可変入賞装置は、基体に昇降自在に設けられる球誘導可動体と、前記球誘導可動体を伝達手段を介して昇降させる駆動手段と、前記伝達手段に前記駆動手段の非駆動時において前記球誘導可動体の動作をロックすると共に該駆動手段の駆動時にロックを解除しうるロック手段とを備え、前記伝達手段は前記球誘導可動体に設けられるラックと該ラックに噛合する歯車部付き回転体と前記駆動手段に設けられ前記回転体と関連させる作動アームとで構成され、前記ロック手段は前記作動アームに前記駆動手段の非駆動時に前記回転体の動作をロックする阻止部を備え、前記駆動手段の非駆動時に前記阻止部により前記回転体の動作をロックして該球誘導可動体の動作を阻止し、前記駆動手段の駆動時には前記阻止部による前記回転体のロックを解除して該回転体の回転運動に伴い前記歯車部とラックが噛合することにより前記球誘導可動体が昇降するようにしたことを特徴とする。
【００１１】
この発明の請求項２の可変入賞装置は、基体の上部に設けられる球通過ゲートと、前記球通過ゲートの下方に所定間隔を置いて設けられる球受入口と、前記球通過ゲートと球受入口の間に位置するガイド部と、前記球通過ゲートと球受入口との間に昇降可能に設けられる球誘導可動体と、前記球誘導可動体を伝達手段を介して昇降させる駆動手段と、前記伝達手段に前記駆動手段の非駆動時において前記球誘導可動体の動作をロックし、前記駆動手段の駆動時にロックを解除しうるロック手段とを備え、前記球誘導可動体に前記球通過ゲートからの球が上方から転入し得る閉状態と球が上方及び横方向から転入し得る開状態とに変位可能とする開閉翼片を設けると共に該開閉翼片に前記ガイド部と連繋し該開閉翼片を回動させる回動手段を設け、前記駆動手段の非駆動時でありかつ前記球誘導可動体の上方位置で前記ロック手段により前記伝達手段の動作をロックして該球誘導可動体の動作を阻止し、前記駆動手段の駆動時には前記ロック手段によるロックを解除して前記球誘導可動体を前記球通過ゲートと球受入口間で昇降を可能とし、前記開閉翼片の回動手段と前記ガイド部との連繋により該開閉翼片を前記球誘導可動体の上方位置で閉状態とすると共に下方位置で開状態とするようにしたことを特徴とする。
【００１２】
この発明の請求項３の可変入賞装置は、ラックを備えた基体と、前記ラックに沿って昇降自在に設けられる球誘導可動体と、前記球誘導可動体に球が通過する間隔を存して開閉自在に軸支され、かつ支軸部に歯車部を設けた開閉翼片と、前記球誘導可動体を伝達手段を介して昇降させる駆動手段と、前記伝達手段に前記駆動手段の非駆動時において前記球誘導可動体の動作をロックし、前記駆動手段の駆動時にロックを解除しうるロック手段とを備え、前記駆動手段の非駆動時でありかつ前記開閉翼片の閉状態時に前記ロック手段により前記伝達手段の動作をロックして該球誘導可動体の動作を阻止し、前記駆動手段の駆動時には前記ロック手段によるロックを解除して球誘導可動体を昇降可能とし、前記開閉翼片の歯車部と前記ラックとの連繋により該開閉翼片を開閉しうるようにしたことを特徴とする。
【００１３】
この発明の請求項４の可変入賞装置は、基体に設けられる球受入口と、前記球受入口の上方に位置して設けられるガイド部と、前記基体の前面側に球が通過する間隔を存して開閉自在に軸支される開閉翼片を備えた球誘導可動体と、前記球誘導可動体を伝達手段を介して昇降させる駆動手段と、前記伝達手段に前記駆動手段の非駆動時において前記球誘導可動体の動作をロックし、前記駆動手段の駆動時にロックを解除しうるロック手段とを備え、前記ガイド部にラックを備えると共に前記開閉翼片の支軸部に前記ガイド部のラックに噛合する歯車部を設け、前記伝達手段は駆動手段から駆動力を受け進退する作動アームと、前記作動アームに関連して該作動アームの進退で正逆回転する回転体とを備え、前記ロック手段は前記作動アームに設けられる阻止面と、前記回転体に設けられ前記作動アームの阻止面に当接し該回転体の回転を阻止するロックピンとで構成され、前記駆動手段の非駆動時に前記作動アームの阻止面で前記ロックピンの回動を阻止して球誘導可動体の昇降動作をロックし、前記駆動手段の駆動時に前記作動アームの進出運動で作動アームの阻止面を回転体のロックピンから離脱させるとともに回転体を回転運動させ、該回転運動を昇降運動に変換して前記球誘導可動体を昇降させるとともに前記開閉翼片の歯車部とガイド部のラックとの噛合により前記開閉翼片を開閉可能としたことを特徴とする。
【００１４】
また、基体１の下部の球受入口２の上方にガイド部に沿って所定ストローク昇降可能に設けた球誘導可動体１０を駆動手段により昇降運動させ、かつ球誘導可動体を昇降運動する駆動手段（駆動伝達手段）にロック手段を関連して設けることで、常時は球誘導可動体の上限位置の第１状態とし、ロック手段で球誘導可動体の動作が阻止されて、第１状態で打球が球誘導可動体に当っても下がることなく安定して保持でき、例えば、ＣＲ機の図柄表示装置の一般図柄が特定の数字、図柄に当選したとき等に制御装置から発する信号により駆動手段を駆動することによりロック手段のロックを解除して球誘導可動体を降下させ、球誘導可動体を降下させて第２状態として下部の球受入口に打ち球を誘導できるようにして、変化に富ませて遊戯者の興趣を向上させる。
【００１５】
また、前面板１２と開閉翼片１３とガイド枠体１４とからなる球誘導可動体１０を基体のガイド部に沿い、かつガイド孔５ａを通じて共動して所定ストローク昇降可能とし、かつ該翼片の回動手段１３ａをガイド孔５ａに沿って回動可能に設け、駆動手段（駆動伝達手段）で該球誘導可動体のガイド枠体を昇降し、ガイド枠体を昇降する駆動手段（駆動伝達手段）に球誘導可動体の上限位置において降下動作をロックし、図柄表示装置の一般図柄が特定の数字、図柄に当選したとき等に制御装置から発する信号により駆動手段を駆動してロックを解除しうるロック手段を関連して設けることで、球誘導可動体の上限位置でロック手段で球誘導可動体の動作（降下）を阻止でき、かつ図柄表示装置の一般図柄が特定の数字、図柄に当選したときに制御装置から発する信号により駆動手段を駆動させてロック手段によるロックを解除して球誘導可動体の動作を可能とし、球誘導可動体の昇降運動で上限位置の第１状態と下限位置の第２状態に変位可能とするとともに回動手段で開閉翼片を開閉して、球受入口の上部で開閉翼片を備えた誘導可動体を変位させて変化に富ませる。
【００１６】
また、基体１の上部の球通過ゲート４と下部の球受入口２との間で、球誘導可動体１０を構成する前面板１２と開閉翼片１３をガイド部に沿って昇降可能としたガイド枠体１４と支軸１５で前記ガイド孔５ａを通じて共動可能に設けて所定ストローク昇降可能に備え、開閉翼片１３の歯車部１３ａをガイド孔のラック６に沿って開閉翼片を開閉しながら昇降させ、基体１にガイド枠体１４を上限位置で受止めるストッパー手段８を設け、該球誘導可動体のガイド枠体に進退運動を昇降運動に変換する伝達手段３１を介して駆動手段３０を関連させて設け、前記伝達手段にロック手段を関連して設けることで、球誘導可動体の上限位置でストッパー手段で受止めるとともにロック手段で伝達手段の動作をロックして球誘導可動体の降下を阻止でき、また図柄表示装置の一般図柄が特定の数字、図柄に当選したとき等に制御装置から発する信号により駆動手段を駆動させたとき、ロック手段によるロックを外して球誘導可動体の動作を可能とし、駆動手段の進退運動で伝達手段を介してガイド枠体を昇降運動させて球誘導可動体を球通過ゲートと球受入口間で昇降させるとともに開閉翼片を開閉することにより打ち球が球受入口に入る機会に変化を持たせて遊技者の興趣を増大する。
【００１７】
また、前記伝達手段とロック手段として、球誘導可動体１０のガイド枠体１４を基体１に設けた上限と下限のストッパー手段８、９間で昇降可能とするとともに背面にラック１８を設け、該ラック１８に噛合させる歯車部３６と、その周面にソレノイドの作動アームに関連させる作動ピン３７と、作動アームにより回動を阻止されるロックピン３８とを備えた歯車部付き回転体３５を前記ラックに噛合させて所定範囲で正逆回転自由に軸支し、先端部に前記回転体の作動ピンに対して所定ストローク単独で進退しうる間隙を存して遊挿しうる連結部４１と、該連結部の下部に前記ロックピンを当接又は離脱させる阻止面４４とを設けた作動アームを先端の連結部４１を前記回転体３５に連繋させ、かつその後端をソレノイド３０に関連させて設け、ソレノイドの非励磁時ガイド枠体を上限のストッパーで受止め、かつ作動アームの阻止面を回転体のロックピンに当接させ、ソレノイドの励磁時作動アームの進出運動で作動アームの阻止面を回転体のロックピンから離脱させるとともに作動アームの進退で作動ピンを作用して回転体の回動運動により歯車部とラックを介してガイド枠体の昇降運動に変換しうるようにしてもよい。
【００１８】
前記構成によれば、前記伝達手段とロック手段として、球誘導可動体１０のガイド枠体１４を上限と下限のストッパー手段８、９間で昇降可能とするとともに歯車部付き回転体３５とラックアンドピニオンの構造で噛み合わせ、回転体３５の作動ピン３７とロックピン３８とにソレノイド３０の作動アーム４０の連結部４１を関連させ、常時はガイド枠体１４が上限ストッパー手段８で受止められて開閉翼片１３が上限位置にあり、ロック手段の作動アーム４０の阻止面４４でロックピン３８の回動を阻止してガイド枠体１４の降下を止めた状態にあり、その位置で図柄表示装置の一般図柄が特定の数字、図柄に当選したとき等に制御装置から発する信号によりソレノイド３０が励磁されて作動アーム４０が連結部４１の間隙だけ単独で所定ストローク進出されることによりその阻止面４４がロックピン３８から外されて回転体３５が回動自由となり、作動アーム４０が進出されて作動ピン３７に当接後さらに進出させて回転体３５が所定範囲で回動されることにより歯車部３６を介してガイド枠体１４のラック１８が下方に降下されるとともに開閉翼片１３が漸次開かれ、下限位置で開閉翼片が、例えば、予め決められた所定時間、或いは所定時間以内でも所定個数の球が入るまで開放されて打ち球を直上のほか横方向から転入させる。所定時間経過後、或いは所定時間以内でも所定個数の球が入るとソレノイドが消磁され、ソレノイド３０が元に復帰することにより作動アーム４０が後退されて作動ピン３７を引張り回転体３５が逆回転され、前記ガイド枠体１４のラック１８が上昇されて球誘導可動体のガイド枠体１４が上限ストッパー８に当たって受止められ、かつ作動アームの阻止面４４がロックピンに当接され、開閉翼片が起立した状態とされ、打ち球は直上のみから転入できる。この上限位置にあるとき開閉翼片に打ち球が当るも上限ストッパー８で受止められ、かつ回転体３５がロック手段でロックされているので、球誘導可動体が動作することなく、安定して保持でき、又不正行為者が針金等で開閉翼片を押し下げようとしても下げることはできず、不正を阻止できる。
【００１９】
また、前記歯車部付き回転体３５に自重で元の位置に復帰させる復帰用重り３９を付けるのが好ましく、ソレノイド３０のバネ３３による復帰時に回転体３５がバネで引っ張られるとともに重り３９の自重の作用で復帰されるので、球誘導可動体が上方位置に確実に戻される。
【発明の効果】
【００２０】
この発明によれば、常時は球誘導可動体の上限位置の第１状態とし、ロック手段で球誘導可動体の動作を阻止したので、打球等が当って球誘導可動体が動作するのを防止でき、また、不正行為者が針金等で不正に翼片を押し下げるのを防止することができる。図柄表示装置の一般図柄が特定の数字、図柄に当選したとき等に制御装置から発する信号により駆動手段を駆動することによりロック手段を解除して球誘導可動体を降下させ、球誘導可動体を降下させて第２状態として下部の球受入口に打ち球を誘導でき、変化に富ませて遊戯者の興趣を向上させ、商品価値を向上できる。
【００２１】
この発明によれば、球誘導可動体の上限位置でロック手段で球誘導可動体の動作を阻止し、図柄表示装置の一般図柄が特定の数字、図柄に当選したとき等に制御装置から発する信号により駆動手段を駆動することによりロック手段を解除して球誘導可動体の昇降を可能とし、駆動手段の駆動による球誘導可動体の昇降運動で上限位置の第１状態と下限位置の第２状態に変位可能とするとともに回動手段で開閉翼片を開閉することができ、その上限位置にある時は開閉翼片を起立して閉じて直上からのみ入賞でき、かつ上限位置で閉じた翼片を打球等で無闇に動かないようにでき、また、不正行為者が針金等で不正に翼片を押し下げるのを防止することができる。図柄表示装置の一般図柄が特定の数字、図柄に当選したとき等に制御装置から発する信号により駆動手段を駆動することによりロック手段を解除して球誘導可動体を降下し、開閉翼片が降下して下限位置に至るに従い開閉翼片を順に開放して直上と横方向から下部の球受入口に打ち球が入賞できるようにして入賞機会を増大できる。
【００２２】
この発明によれば、球誘導可動体の上限位置でストッパー手段で受止めるとともにロック手段で伝達手段の動作をロックして球誘導可動体の降下を阻止でき、駆動手段の駆動時にはロック手段による伝達手段の動作のロックが外されて球誘導可動体の降下を可能とし、駆動手段の進退運動で伝達手段を介してガイド枠体を昇降運動させて球誘導可動体を球通過ゲートと球受入口間で昇降させるとともに開閉翼片を開閉することにより遊技者の興趣を増大する。
【００２３】
この発明によれば、前記伝達手段とロック手段として、球誘導可動体と共動するガイド枠体を上限と下限のストッパー間で昇降可能とするとともに歯車部付き回転体とラックアンドピニオンの構造で噛み合わせ、回転体の作動ピンとロックピンとにソレノイドの作動アームの連結部を関連させ、常時は開閉翼片が上限位置にあって、ロック手段の作動アームの阻止面がロックピンを受止めてガイド枠体の降下を止めた状態にあり、その位置で図柄表示装置の一般図柄が特定の数字、図柄に当選したとき等に制御装置から発する信号によりソレノイドが励磁されて作動アームが進出され阻止面がロックピンから外されて回転体が回動自由となり、さらに作動アームが進出されて作動ピンが押されて回転体が所定範囲で回動（反時計方向）されることにより歯車部を介してガイド枠体のラックが下方に降下されるとともに開閉翼片が漸次開かれ下限位置で予め決められた所定の時間だけ開放されて打ち球を直上のほか横方向から転入させ、球受入口へのパチンコ球が入る機会を増大でき、この球受入口が特別図柄表示装置の始動口として使用することにより図柄変動の回数を増大して遊技者の興趣を向上できる。また、所定時間経過後、若しくは所定時間以内でも所定個数入ると、ソレノイドが消磁されてソレノイドが元に復帰することにより作動アームが後退されて作動ピンを引張り回転体が逆回転（時計方向）され、前記ガイド枠体のラックが上昇されて球誘導可動体が上限ストッパーに当たって受止められ、かつ作動アームの阻止面でロックピンが阻止されて開閉翼片が起立した状態に変位して翼片の動作を阻止することができ、かつ不正に翼片を押し下げるのを防止することができる。
【００２４】
この発明によれば、可変入賞装置の前記歯車部付き回転体に復帰用の重りを付けたので、ソレノイドのバネによる復帰時、回転体の重りの自重作用による助力で元の位置に復帰させることができるので、球誘導可動体が上方位置に確実に戻される。
【発明を実施するための最良の形態】
【００２５】
以下に、この発明の実施形態を図面に基づいて説明する。図１はこの発明の可変入賞装置の一部破断正面図、図２は同中央縦断面図、図３は同一部破断平面図、図４は同一部破断背面図、図５は可変入賞装置の別の実施形態で、翼片を閉じた状態の正面図、図６は同側面図、図７は開閉翼片を開放した状態の正面図、図８は同側面図、図９は同平面図、図１０はガイド枠体と回転体と作動アームの後退位置における側面図、図１１はガイド枠体と回転体と作動アームの前進位置における側面図、図１２はこの発明の可変入賞装置を備えた遊技盤の正面図である。
【００２６】
図１乃至図４に示すこの発明の可変入賞装置の実施形態では、１はパチンコ遊技盤５０に取付ける基体で、該基体１の下部に球受入口２が備えられる。該球受入口２はポケット状で基体１に設けた開口３の前面に取付けられる。球受入口２の底部は後方へ球を排出するために傾斜状の誘導面２ｂが設けられ、開口３、排出樋等を通じ、遊技盤５０の開口に取付けられ遊技盤５０の背面側の入賞球排出通路（図示せず）に流下するように設けられる。この球受入口２は、例えば、ＣＲ機の特別図柄表示装置の図柄を変動する始動口として、始動口に打ち球が入ることにより図柄の変動を開始させ、而してこの始動口に打ち球が入る個数が多いと図柄の変動回数も連続的となり大当たりの確率を増大できる。図５乃至図１１に示す可変入賞装置は基体１、開閉翼片の形状が前記実施形態と異なるだけで、その他の構成は同じである。
【００２７】
図１乃至図１１において、基体１には球受入口２の上方にパチンコ球が通過しうる所定の間隙をおいて球通過ゲート４が設けられ、その球通過ゲートと球受入口との間で球誘導可動体１０が第１状態と第２状態に変位可能に設けられている。実施形態ではその球通過ゲート４と下部の球受入口２との間の両側に所定の間隔Ｂを存してガイド部５として、基体１の両側に縦方向にガイド孔５ａが設けられ、かつ基体１の背面の中央にガイド突起７が形成されている。そして、該ガイド孔５ａは開閉翼片１３の回動手段が回動しながら昇降しうる広さが必要である。回動手段として、両側のガイド孔５ａは開閉翼片１３の支軸部１３ｂが昇降しうる縦孔とその縦孔の内面に開閉翼片１３の歯車部１３ａが噛合されるラック６とからなり、かつ開閉翼片１３の基部の支軸部１３ｂの歯車部１３ａがガイド孔のラックに噛合される。縦孔の幅は歯車部が外れない幅とする。このガイド孔のストロークは少なくとも上端で翼片を閉じ、下端で翼片を倒して開放できるように翼片の支軸部（歯車部）を上下しうるストロークとする。また、両側のガイド孔５ａの間隔は少なくとも開閉翼片１３間を球が通過しうる間隔Ｂとする。実施形態では基体１の両側のガイド孔間の中央部を背面側に若干突出して厚みを厚くしてガイド孔５ａの中央部の両面にラック６が形成され、かつ背面の中央にガイド突起７が形成されている。なお、球通過ゲート４の代わりに遊技盤或いは基体の上端部に釘を打ち付けて開閉翼片１３の上部に打球が直接当たらないようにすることも自由にできる。なお、基体１には両端に取付け孔２４が設けられ、遊技盤にビス止めされる。遊技盤にこの発明の可変入賞装置を取付けるときは、開閉翼片の下方位置で開放するとき、球が入りやすいように開閉翼片の側方には釘を打たないか、釘の間隔をあけ、球を誘導できるように打つ。また、２０は後述のソレノイド収容筺２１の取付けボス部である。前記した基体、球受入口、前面板、開閉翼片、ガイド枠体、後述の回転体、作動アーム等の材質は合成樹脂製等である。
【００２８】
また、基体１の背面には上部の両側に球誘導可動体の昇降ストローク、すなわち、ガイド枠体１４の所定ストロークＬを規制するストッパー手段として、少なくとも上限位置で受止める上限ストッパー８が設けられる。実施形態では、ストッパー手段として、上限と下限を規制する上限ストッパー８と下限ストッパー９が突出して形成され、中央にガイド枠体を案内するガイド突起７が形成されている。上限ストッパー８はガイド枠体１４が上昇して受止められると開閉翼片１３が上方位置の第１状態の閉じた状態となり、下限ストッパー９はガイド枠体１４が降下して当たると開閉翼片１３が下方位置の第２状態の開放状態となるようにする。実施形態で、上限ストッパー８は基体１の背面の上部両側に突設され、ガイド枠体１４の両側の上面が当接しうるように設けられ、かつ下限ストッパー９はガイド枠体１４の中央のガイドレール１６の下端に基体１より突出して形成され、ガイド枠体１４の下面中央が当接しうるように設けられている。なお、球誘導可動体の昇降ストロークは、実施形態ではガイド孔の長さに余裕を持たせ、上限と下限ストッパーで規制したが、ストッパーの代わりにガイド孔の長さで上限と下限を規制することもできる。
【００２９】
１０は球誘導可動体で、前面板１２と開閉翼片１３と背面のガイド枠体１４とから構成されている。前面板１２と基体１との間に球誘導口１１が構成され、該前面板１２と基体１との間の球誘導口１１の両側に少なくとも翼片間に打球が通過する間隔Ｂを存して開閉翼片１３が配置され、前面板１２側から翼片の基部、背面側の支軸部１３ｂ、基体１のガイド孔５ａを通じて裏面のガイド枠体１４の支軸部１４ａの支持孔に支軸１５が挿通されて止め金１９で止められて共動可能に結合され、前面板１２と開閉翼片１３とガイド枠体１４が共動して昇降可能とされている。開閉翼片１３の形状は扇型としてその基部に挿通孔を設け、支軸１５が挿入され、回動自由に支持されている。この実施形態では両側の翼片間に球が通過しうる間隙を存したが、これに限られるものではなく、翼片間を狭めてもよい。また、開閉翼片の形状は前記形状に限定されるものではなく、従来のチューリップ型の開閉翼片のような形状でもよい。
【００３０】
球誘導可動体１０のガイド手段として、前面板１２と開閉翼片１３とガイド枠体１４が基体１の背面に設けた前記上限と下限のストッパー８、９間でガイド部５のガイド突起７に沿って所定ストローク昇降可能に備えられるとともに開閉翼片１３の回動手段が基体１に設けたガイド孔５ａに昇降可能に備えられる。ガイド孔５ａを設ける個所は厚肉として、ラック６が形成されている。前面板１２の背面の支軸部１２ａに開閉翼片１３の基部が支持され、かつ該開閉翼片１３の背面側の支軸部１３ｂに設けた歯車部１３ａが前記基体１のガイド孔５ａのラック６に噛合され、支軸１５が前面板１２の両側の支軸部１２ａの挿通孔より開閉翼片１３の基部、その背面側の筒状支軸部１３ｂを通じて背面のガイド枠体１４の支軸部１４ａの支持孔を通じて挿通されて止め金（Ｅリング）１９で止められ、前面板１２と開閉翼片１３とガイド枠体１４とが共動可能に結合されて球誘導可動体１０が構成されている。該球誘導可動体のガイド枠体１４は上限と下限ストッパー８、９間でガイド突起７に沿ってガイドレール１６によりガイドされて所定ストローク昇降される。
【００３１】
また、開閉翼片１３の回動手段として、開閉翼片１３の基部の背面側に突出させた筒状支軸部１３ｂの周面に歯車手段の扇状歯車部１３ａが形成され、該歯車部１３ａが前記基体１のガイド孔５ａに設けたラック６の歯に噛合されて、開閉翼片１３の昇降に伴い開閉しうるように設けられている。すなわち、歯車部１３ａの上昇で開閉翼片１３を基部の支軸１５を支点として起立させ、またその降下で開閉翼片１３を基部の支軸１５を支点として傾倒させる。該歯車部１３ａの厚みは前記ラック６とほぼ同じとするのが好ましい。なお、回動手段として、開閉翼片１３の基部とガイド孔５ａと間にラックアンドピニオン構造を設けた場合を示したが、これに限られるものではない。
【００３２】
ガイド枠体１４は前面板１２とほぼ同じ幅とした断面コ字型で、両側に前記支軸１５が挿通され、その中央部に基体１の背面に形成されたガイド突起７に嵌合しうる所定間隙のガイドレール１６が形成され、ガイドレール１６の上端にはレール内に基体１に背面を転動する回転ローラー１７が回転自由に軸支され、かつその背面中央にはラック１８が形成されている。ガイド枠体１４はガイドレール１６がガイド突起７に嵌合されて、ガイドローラー１７が基体１の背面に接して転動するようにしてガイド突起７に沿って円滑に昇降しうるようにしてある。このガイド枠体１４には前記のように前面板１２側の支軸部１２ａより支軸１５を挿入し、開閉翼片１３の基部、前記ガイド孔５ａを通じてガイド枠体１４の支軸部１４ａに挿通して止め金１９で止めて、前面板１２と開閉翼片１３、背面のガイド枠体１４が共動して昇降し、かつ開閉翼片１３が開閉しうるように設けられている。而して、球誘導可動体１０は背面のガイド枠体１４が基体１のガイド突起７に沿って昇降されるとともに開閉翼片１３の基部と前記ガイド孔５ａとが開閉翼片１３の基部の支軸部１３ｂの歯車手段の扇状歯車部１３ａとガイド孔５ａのラック６とのラックアンドピニオンの構成で噛合され、ガイド孔５ａの直線のラック６に沿って回動しながら昇降可能に備えられる。而して、ガイド枠体１４の昇降ストロークは前記基体１の背面に設けた上限ストッパー８と下限ストッパー９とで規制されて、開閉翼片が上限で閉となり、下限で翼片が開となるように設定されている。
【００３３】
また、前記球誘導可動体１０の前面板１２の下面の形状は下部の球受入口２の前面板２ａの上面の形状と相互に嵌合しうる形状とする。例えば、球誘導可動体の前面板の下面形状を山形とし、対向する球受入口の前面板上面をその山形が嵌合しうるＶ字型とする。このようにすることにより球誘導可動体１０が降下して球受入口２にほぼ嵌合状とでき、前面板の図柄、模様が合体して合わせるようにすれば、一層興趣を向上できる。また、球誘導可動体１０が上限位置の第１状態では球通過ゲートの直下に近接させるので、開閉翼片の上部に直接打球が当たるのを防止できる。
【００３４】
球誘導可動体１０のガイド枠体１４を昇降する手段として、該ガイド枠体１４を昇降するソレノイド、モータ、伝達手段等適宜駆動手段（駆動伝達手段）が設けられ、ガイド枠体１４が適宜駆動手段等により昇降運動されると、ガイド枠体１４がガイド突起７に沿って所定ストローク昇降されるとともに開閉翼片１３の基部の歯車部１３ａがラック６に沿って回動されながら昇降され開閉翼片１３が開閉される。実施形態では、駆動手段として、球誘導可動体のガイド手段であるガイド枠体１４の背面側にソレノイド３０を位置させ、該ソレノイド３０の進退運動を昇降運動に変換しうる伝達手段３１を介してガイド枠体１４に関連させ、ソレノイド３０の進退運動でガイド枠体１４の昇降運動に変換しうるようにする。
【００３５】
前記球誘導可動体１０のガイド枠体１４をソレノイド３０の進退運動で昇降運動させるための伝達手段３１は、前記ガイド枠体１４の背面のラック１８と、歯車部付き回転体３５と、ソレノイド３０に関連して設ける作動アーム４０とで構成されている。ソレノイド３０を収容する金属製等の収容筺２１の前端の取付け板２１ａが基体１の背面に所定の間隙をおいて取付けボス部２０にビス止めされ、該収容筺２１の後部にソレノイド３０が収容され、その前部においてガイド枠体１４のラック１８に噛合させる扇状の歯車部３６と、周面にソレノイドの作動アームに関連させる作動ピン３７と、作動アームを当接しうるロックピン３８と、重り３９を有する歯車部付き回転体３５が支軸２３に回転自由に軸支され、その歯車部３６が前記ガイド枠体１４の中央のラック１８に噛合され、先端部に前記回転体３５の作動ピン３７に対して所定ストローク単独で進退しうる間隙を存して遊挿しうる連結部４１と、該連結部４１の下部に前記ロックピン３８を阻止しうる阻止面４４とを設けた作動アーム４０を先端の連結部を前記回転体３５に連繋させ、かつその後端をソレノイドに関連させて設け、ソレノイド３０のアクチュエーター３２による作動アーム４０の進退運動で回転体３５が正逆回転され、その回転運動によりラック付きガイド枠体１４が基体１のガイド突起７に沿って昇降運動される。３３は復帰用バネである。回転体の回転運動をガイド枠体の昇降運動に変える手段として、実施形態ではラックアンドピニオンの構成としたが、これに限られるものではない。
【００３６】
前記歯車部付き回転体３５は軸２３を中心とする円形３５ａとして、その円形の作動アーム側の径を若干大きくした円弧部３５ｂが形成されるとともに下部に重り取付け用の円弧状膨出部３５ｃが形成され、その円形３５ａの外周に歯車部３６が形成され、かつ両側周面の偏心位置、すなわち、径の大きい円弧部３５ｂの上部に作動ピン３７と、側方にロックピン３８が間隔をあけて設けられ、かつ又下部の膨出部３５ｃに復帰用重り３９が設けられ、この回転体３５が収容筺２１の前部に支軸２３で回転自由に支持されている。そしてこの回転体３５の作動ピン３７には作動アーム４０の先端の連結部４１が連接され、ロックピン３８には作動アーム４０の阻止面４４がスライドして阻止又は離脱しうるようにされる。また、回転体３５に復帰用重り３９を付けることにより、ソレノイドの消磁のとき、ソレノイドのアクチュエーターはバネ３３の付勢力で戻されるとともに回転体も作動アームで引っ張られる力と重りの自重作用による助力で元の位置に確実に戻される。支軸２３の端にはＥリングが止められている。なお、回転体の形状は前記のものに限定されるものではなく、例えば円形等にできる。
【００３７】
また、球誘導可動体の上限位置で動作をロックし、駆動手段の駆動時にロックを解除しうるロック手段として、回転体３５と作動アーム４０とにロック手段が設けられている。すなわち、回転体３５にロックピン３８、作動アーム４０の連結部４１の下面に阻止面４４が形成され、前記球誘導可動体１０が上限ストッパー８で受止めた上限位置にあるとき、作動アーム４０の阻止面４４で回転体のロックピン３８の回転が阻止され、駆動手段の駆動時には作動アームを進出することにより阻止面４４がロックピン３８から離脱されて回転体３５の回転が自由とされる。従って、球誘導可動体は上限位置でストッパー８で受止められ、かつ阻止面４４で回転体３５のロックピン３８が受止められるので、回転体の回転が阻止され、ガイド枠体１４は上限ストッパー８で上昇が止められ、かつ阻止面で降下が止められ、開閉翼片もロックでき、打球が開閉翼片等に当るも動作（降下動作）するのを阻止して安定保持でき、又、遊技者等が不正に球誘導可動体を降下させる行為も阻止できる。ロック手段のロック解除は、ＣＲ機では図柄表示装置の一般図柄が特定の数字、図柄に当選したとき等に制御装置から発する信号によりソレノイドが駆動され、その阻止面がロックピンより外されて回転体の回転自由として球誘導可動体の降下が可能とされる。
【００３８】
作動アーム４０は先端部に少なくとも前記回転体の作動ピンに対して所定ストローク単独で進退しうる間隙（クリアランス）Ｃを存して遊挿しうる連結部４１と、該連結部の下部に前記ロックピンを阻止する阻止面４４とが設けられている。実施形態では、作動アーム４０は先端に中央の回転体３５を挟んで被せるようにクランク状で二股状とし、かつ前記回転体３５の作動ピン３７を内面のいずれか（引く面４１ａ、又は押す面４１ｂ）との間に間隙Ｃをとるように逆Ｕ字状連結部４１が形成され、かつ他端にはソレノイド３０のアクチュエーター３２の先端部３２ａを嵌合する嵌合溝４２が形成され、逆Ｕ字状連結部４１の後部下端にはロックピン３８を阻止しうる幅の阻止面４４が形成され、かつ作動アームの根本下部（連結部の阻止面より右側でロックピンの回動軌跡上）にはロックピン３８が阻止面から外されて回転体の回転時に入りうる凹部４５が形成されている。作動アーム４０の阻止面４４のロックピンが逃れる連結部４１の右側は傾斜面としてロックピンが逃れ易くするのが好ましい。前記逆Ｕ字型連結部４１は内部のＵ字型空間の巾を作動ピン３７を引く面４１ａ又は押す面４１ｂに接して挿入した時にそのピン３７と他側の内面との間に所定間隙Ｃをとり、連結部がその間隙のストロークだけ単独で進退しうるようにする。
【００３９】
而して、この作動アーム４０の連結部４１は単独でその間隙だけのストローク進出することにより阻止面４４がロックピン３８より外され、以後回転体３５は反時計方向に回転自由となり作動アームの進出で連結部４１の押す面４１ｂが作動ピン３７に当接後、さらに進出させ作動ピンを押すことにより作動ピンが押す面に沿って移動されて回転体を反時計方向へ回動させ、この時ロックピン３８は阻止面４４から右側の傾斜面に沿って作動アームの根本の凹部４５に入らせる。また、作動アーム４０を後退させるとき、作動アーム４０の連結部４１は単独でその間隙だけ後退して引く面４１ａが回転体の作動ピン３７に当接して引っ張ることにより回転体が時計方向に回転され、ロックピン３８が下方に回動され、そのロックピンの上に作動アーム４０の阻止面４４がスライドして受止められて回転体の回転が阻止される。なお、実施形態では、アームの根本の後部の縦巾が広いのでロックピンが逃げうるように凹部４５を形成したが、アームの根本の縦巾が狭ければ凹部を設けなくともロックピンが逃げられる。
【００４０】
また、この作動アーム４０の両側にガイド突片４３が設けられ、該ガイド突片４３が前記収容筺２１の両側に先端より設けた案内溝２２に嵌合され、作動アーム４０はソレノイド３０の進退運動で案内溝２２に沿って所定ストローク進退運動しうるように設けられる。なお、作動アームの連結部４１の形状を逆Ｕ字型としたが、これに限定されるものではなく、例えば、横方向に長い長孔とし、その長孔内に作動ピンを前記と同様に遊挿することもできる。
【００４１】
従って、ソレノイド３０のアクチュエーター３２の先端が作動アーム４０の基端の嵌合溝４２に嵌合されて連設され、ソレノイド３０が消磁時の復帰位置にあるとき、作動アーム４０の先端の逆Ｕ字型の連結部４１が回転体の作動ピン３７に被せられて連接される。ソレノイドの消磁時には作動アーム４０が戻されて、連結部の引く面４１ａに回転体の作動ピン３７が当接し、他側には間隙Ｃがあいた状態に遊挿されている。この状態で、ソレノイドが励磁されるとソレノイド３０の進出運動で作動アーム４０が進出される。ソレノイドの進出運動により先ず作動アームは前記間隙Ｃだけのストローク単独で進出し、連結部の押す面４１ｂが回転体３５の上部の作動ピン３７に当たり、その作動ピンを押すことにより回転体３５が支軸２３を支点として所定の範囲で反時計方向に回転される。ガイド枠体１４は上限ストッパー８に受止められた状態にあり、この回転体３５の回転によりその歯車部３６が噛み合わされたガイド枠体１４のラック１８がガイド突起７に沿って降下されてガイド枠体１４が降下運動され、該ガイド枠体１４の降下運動により開閉翼片１３が下限ストッパー９まで降下しながら段々と開放され、下限位置で所定時間、或いは所定時間内で所定個数が入るまで開放状態に保たれる。所定時間の経過後、或いは所定時間内で所定個数が入ると、ソレノイドの消磁によりソレノイド３０のバネによる後退運動と重りの作用とが相俟って作動アーム４０が後退され、作動アーム４０の引く面４１ａで作動ピン３７が引かれ、この回転体３５の時計方向への回転によりその歯車部３６が噛み合わされたガイド枠体１４のラック１８がガイド突起７に沿って上昇されてガイド枠体１４が上限ストッパー８に当たるまで上昇運動され、該ガイド枠体１４の上昇運動により開閉翼片１３が上昇しながら段々と起立され、かつロックピン３８が下方へ回動され、作動アーム４０の阻止面４４がそのロックピン３８上に間隙Ｃだけのストローク単独で後退して当接され、回転体の回転が阻止される。なお、作動アームを摺動する手段として、収容筺の案内溝に沿って作動アームのガイド突片を摺動する構成としたが、この構造に限られるものではなく収容筺内部で摺動できるようにすることもできる。
【００４２】
駆動手段を駆動する手段は、遊技機、いわゆるＣＲ機における図柄表示装置における一般図柄が予め決めた特定図柄となった場合、或いは確率変動中における特定図柄の一致した場合の制御装置から信号を送り駆動手段を任意の時間駆動できるようにする。この実施形態の場合にはソレノイド３０に遊技盤に備えた普通図柄表示装置と特別図柄表示装置で図柄表示装置の一般図柄が予め決めた特定の数字、例えば、３、７、特定図柄、例えば特定のキャラクター等の表示に当たった時に制御装置を介して信号が送られ、ソレノイドが駆動されるように設けられている。而して、開閉翼片１３は常時は上限位置で開閉翼片１３が起立状で閉じられていて、しかも、ロック手段の阻止面がロックピンに当接して打球が当って開閉翼片が下がるのを阻止する状態にある。図柄表示装置の一般図柄が所定の数字等表示となった時に制御装置から発する信号によりソレノイド３０が励磁されて作動アーム４０が進出することにより阻止面がロックピンから外れると同時に回転体が反時計方向に回転されて、ロックピン３８は上部の凹部４５に回され、ガイド枠体１４と共動する開閉翼片１３を備えた球誘導可動体１０が基体１のガイド突起７、ガイド孔５ａに沿って降下して下限位置で開閉翼片１３が倒れて開放され、横方向からも打球が転入できるようにされる。この開閉翼片１３の開放時間は制御装置から発する信号によって、長短設定される。例えば、ＣＲ機では確変中はこの可変入賞装置の開閉翼片の開放時間を通常より長くするか、何度も降下させて入賞機会を増大させ、遊戯者の興趣を増大させる。所定の時間経過後、若しくは所定時間以内に所定個数が入ると、ソレノイド３０が消磁されて、ソレノイドのアクチュエーターのバネの作用で作動アーム４０が後退されて、回転体の作動ピン３７が引っ張られて回転体が時計方向に回転され、ガイド枠体１４が上限ストッパー８に当たるまで上昇され、かつその回転に伴いロックピン３８が下方位置に戻されるとともに作動アーム４０がさらに間隙Ｃのストロークだけ単独で後退されて阻止面４４がロックピン３８の上にスライドされて受止められ回転体の回転がロックされる。このとき球誘導可動体１０は回転体３５の時計方向の回転で上昇されて、開閉翼片１３は段々起立して上限位置で上限ストッパー８に当たるとともに阻止面４４でロックピン３８が止められて、起立状に保持され、ロックされる。従って上限位置で開閉翼片に打球が当るもロックされているので動作することなく、安定して保持される。又不正行為者が針金等で開閉翼片を無理に押し下げようとしても降下することがなく、不正を防止できる。可変入賞装置の前記ソレノイドを各種役物の制御装置の発する所定の信号に対応して任意の時間励磁して球誘導可動体のガイド枠体、開閉翼片を昇降しうるようにすれば、球誘導可動体の開閉翼片の下限位置における開放時間を変位できる。或いは、球誘導可動体の昇降を繰り返させて所定回数開閉させるようにすることもできる。従って、遊戯者にとって、開閉翼片の開放時間が確率変動時等に長くするようにすれば、興趣を増大することができる。
【００４３】
図１２において、この発明の可変入賞装置を備えたパチンコ機の遊技盤５０を示す。５１は発射レール、５２は球戻り防止装置、５３は風車である。５４は図柄表示装置で、一般図柄表示装置５５、保留ランプ５６、特別図柄表示装置５７、保留ランプ５８が備えられている。５９はスルーチャッカー、６０は大入賞口、６１はサイドランプである。この遊技盤の図柄表示装置５４の直下にこの発明の可変入賞装置を備え、該可変入賞装置を図柄表示装置の一般図柄の制御装置と関連させる。而して、図７、図８の開閉翼片を閉じた状態（ガイド枠体が上限ストッパーに受止められ、阻止面がロックピンを阻止した状態）で、スルーチャッカー５９を打球が通過すると一般図柄５５が始動を開始して予め指定された数字で止まると制御回路を介して可変入賞装置のソレノイド３０に作動信号が送られ、図５、図６、図１０に示すようにソレノイド３０がバネに抗して励磁されて、作動アーム４０が間隙Ｃだけ単独で前方へ進出され、作動アームの阻止面４４がロックピン３８から外され、かつ作動アーム４０の進出運動により先端の逆Ｕ字状連結部４１で回転体３５の作動ピン３７が前方へ押されて回転体３５が重り３９に抗して反時計回りに所定ストローク回動運動され、この際にロックピン３８は作動アーム４０の凹部４５に逃され、前記回転体３５の回転運動により回転体３５の歯車部３６に噛合させたラック付きガイド枠体１４が基体１のガイド突起７に沿って下降し、このガイド枠体１４の下降に伴い球誘導可動体１０の開閉翼片１３が下降しながら支軸１５を中心として回動されて段々開放され、下限位置で開閉翼片が開放されて、打球が上方と横方向から転入できる。球誘導可動体１０の下限位置で開閉翼片１３が一番開いた状態で設定時間だけ開放状態が持続される。このとき、球誘導可動体１０の前面板１２が下部の球受入口２の前面板２ａに近接状に嵌合される。開閉翼片の開放の設定時間が経過すると、図８、図９、図１１に示すようにソレノイド３０が消磁され、アクチュエーター３２はバネ３３の作用で元に戻され、それに伴い作動アーム４０で回転体３５の作動ピン３７が引張られ、かつ重り３９の自重の作用で回転体３５が時計回りに戻されて、ガイド枠体１４が上限ストッパー８に当たるまで上昇されるとともに開閉翼片１３の基部の歯車部がガイド孔５ａのラック６に沿って回転され、開閉翼片１３が上限位置に上昇して起立状に閉じられ、かつ回転体のロックピン３８が下方へ戻され、作動アーム４０がさらに単独で後退して、ロックピン上に阻止面４４がスライドして受止められ、回転体の回転が阻止される。
【００４４】
前記実施形態では、球誘導可動体の両側に対称に開閉翼片を軸支した場合を説明したが、これに限られるものではなく、球誘導可動体に開閉翼片は設けないで、前面板と基体との間に球誘導口を設け、かつ前面板と背面側のガイド枠体とを前記と同様にガイド孔を介して支軸で共動可能に設け、この球誘導可動体を昇降する駆動手段を備え、駆動手段による球誘導可動体の昇降運動で上限位置の第１状態と下限位置の第２状態に変位可能とすることもできる。この可変入賞装置の球誘導可動体を昇降する手段として、該可動体の背面にガイド枠体を設け、基体の背面にガイド突起を設けてガイド枠体を該ガイド突起に沿って昇降可能とするとともに支軸をガイド孔に沿って昇降可能に設け、駆動手段の駆動によりガイド枠体を昇降することにより前面の前面板を共動して昇降して球誘導可動体の位置を上限の第１状態から下限の第２状態まで変位させる。
【００４５】
以上の実施形態を示したが、この発明はこの形態に限定されるものではなく、この発明の要旨を逸脱しない範囲で、種々の形態を実施しうるものである。実施形態では、上限位置で開閉翼片が閉じ、下限位置で開閉翼片が開放される場合で説明したが、これに限られるものではない。又、球受入口を始動口とする場合で説明したが、これに限られるものではない。
【図面の簡単な説明】
【００４６】
【図１】この発明の可変入賞装置の一部破断正面図である。
【図２】同中央縦断面図である。
【図３】同一部破断平面図である。
【図４】同一部破断背面図である。
【図５】可変入賞装置の別の実施形態で、翼片を閉じた状態の正面図である。
【図６】同側面図である。
【図７】開閉翼片を開放した状態の正面図である。
【図８】同側面図である。
【図９】同平面図である。
【図１０】ガイド枠体と回転体と作動アームの後退位置における側面図である。
【図１１】ガイド枠体と回転体と作動アームの前進位置における側面図である。
【図１２】この発明の可変入賞装置を備えた遊技盤の正面図である。
【符号の説明】
【００４７】
１  基体
２  球受入口
４  球通過ゲート
５  ガイド部
５ａ  ガイド孔
６  ラック
７  ガイド突起
８  上限ストッパー
９  下限ストッパー
１０  球誘導可動体
１２  前面板
１１  球誘導口
１３  開閉翼片
１３ａ  歯車部（回動手段）
１４  ガイド枠体
１５  支軸
１６  ガイドレール
１８  ラック（伝達手段）
３０  ソレノイド（駆動手段）
３１  伝達手段
３２  アクチュエーター
３５  回転体（伝達手段）
３６  歯車部
３７  作動ピン
３８  ロックピン（ロック手段）
３９  重り
４０  作動アーム（伝達手段）
４１  連結部
４１ａ  引く面
４１ｂ  押す面
４４  阻止面（ロック手段）
Ｃ  間隔
Ｌ  所定ストローク
【図１】
0004480095.tif 000002
【図２】
0004480095.tif 000003
【図３】
0004480095.tif 000004
【図４】
0004480095.tif 000005
【図９】
0004480095.tif 000006
【図５】
0004480095.tif 000007
【図６】
0004480095.tif 000008
【図７】
0004480095.tif 000009
【図８】
0004480095.tif 000010
【図１０】
0004480095.tif 000011
【図１１】
0004480095.tif 000012
【図１２】
0004480095.tif 000013